(57)【要約】【課題】  打撃による衝撃を加えることにより簡単且つ、小さな力で本体内のフィルタの塵埃を瞬時に除去してフィルタの機能を回復させることができる電気掃除機を目的とするものである。【解決手段】  本体１に吸引口２ａが形成された集塵室２と排気口３ａと吸引ファン１２を設けた濾過室３とを設け、集塵室２と濾過室３間をフィルタ４で区画した電気掃除機において、フィルタ４を濾過室３内に設けるとともに、該フィルタ４に打撃による衝撃を伝達する剛性体５を設け、該剛性体５に濾過室３から先端を外部に張出させた打撃棒８を立設したものである。【選択図】図１
2014151169.tif 000002
【特許請求の範囲】
【請求項１】
本体に吸引口が形成された集塵室と排気口と吸引ファンを設けた濾過室とを設け、集塵室と濾過室間をフィルタで区画した電気掃除機において、フィルタを濾過室内に設けるとともに、該フィルタに打撃による衝撃を伝達する剛性体を設け、該剛性体に濾過室から先端を外部に張出させた打撃棒を立設したことを特徴とする電気掃除機。
【請求項２】
剛性体をフィルタを被套するフィルタ枠としたことを特徴とする請求項１に記載の電気掃除機。
【請求項３】
フィルタが弾性部材を介して濾過室内に設けられることを特徴とする請求項１または２に記載の電気掃除機。
【請求項４】
打撃棒に負圧漏れを防止するシール部材を設けたことを特徴とする請求項１または２または３に記載の電気掃除機。
【発明の詳細な説明】
【技術分野】
【０００１】  本発明はフィルタ式の電気掃除機に関するものである。
【背景技術】
【０００２】  電気掃除機として、手動操作により重りを弾性体の弾発力に抗して持ち上げたうえ、重りを落下させることより発生した振動により、フィルタに付着した塵埃を除去するものがある（例えば、特許文献１参照）。【０００３】  しかし、フィルタを取り付けたアタッチメントをタンクから取り外して除塵を行うため、取り外しの際、塵埃がこぼれて周りを汚すおそれがあるうえに、除塵作業により塵埃が回りに飛散するという問題がある。しかも、弾性体の弾発力に抗して重りを持ち上げる操作に力が必要となり老人や女性には負担が大きすぎるうえに、振動では塵埃を払い落とす力が弱く除去が不十分となる問題がある。
【先行技術文献】
【特許文献】
【０００４】
【特許文献１】特開２００６−８１６３４号公報
【発明の概要】
【発明が解決しようとする課題】
【０００５】  本発明は打撃による衝撃を加えるという誰でもできる簡単な操作で本体内のフィルタの塵埃を一気に剥離除去してフィルタの機能を回復させることができる電気掃除機を提供することを目的とするものである。
【課題を解決するための手段】
【０００６】本発明は、本体に吸引口が形成された集塵室と排気口と吸引ファンを設けた濾過室とを設け、集塵室と濾過室間をフィルタで区画した電気掃除機において、フィルタを濾過室内に設けるとともに、該フィルタに打撃による衝撃を伝達する剛性体を設け、該剛性体に濾過室から先端を外部に張出させた打撃棒を立設したことを特徴とする電気掃除機である。【０００７】なお、剛性体をフィルタを被套するフィルタ枠としたり、フィルタが弾性部材を介して濾過室内に設けられるものとしたり、打撃棒に負圧漏れを防止するシール部材を設けたものとしたりしてもよい。
【発明の効果】
【０００８】  本発明は、本体に吸引口が形成された集塵室と排気口と吸引ファンを設けた濾過室とを設け、集塵室と濾過室間をフィルタで区画した電気掃除機において、フィルタを濾過室内に設けるとともに、該フィルタに打撃による衝撃を伝達する剛性体を設け、該剛性体に濾過室から先端を外部に張出させた打撃棒を立設したことにより、打撃棒の先端をハンマ等で打撃すれば、剛性体に加えられた大きな衝撃はフィルタに瞬時に伝達され、フィルタの網目に付着する塵埃に大きな慣性力が加えられることとなる、更に弾性部材は打撃による圧縮または伸張変形によって振動するので、振動が収束するまでフィルタは揺さぶられることとなり、網目に付着している塵埃はすべて払い落とされる。また、外部に先端を張出させた打撃棒を剛性体に立設するという簡単な構造としているので故障し難くいうえ、軽量で取り扱いが容易で掃除も楽に行えるものとなる。さらに、使用者の膂力や塵埃の種類に応じてハンマによる打撃回数を増減したり、打撃力の強弱を任意に決めたりできるので、フィルタに付着した塵埃を確実に除去することができる。【０００９】  請求項２のように、剛性体をフィルタを被套するフィルタ枠としたことにより、部品数が削減でき、軽量化とコストダウンを図ることができる。【００１０】  また、請求項３のように、フィルタが弾性部材を介して濾過室内に設けられることにより、瞬間的な慣性力に加え短期的な振動力を加えることができるので、より的確に塵埃を除去することができる。【００１１】  請求項４のように、打撃棒に負圧漏れを防止するシール部材を設けたことにより、打撃棒と濾過室との隙間から負圧が漏れないようにして、吸引力が低下することを防止している。
【図面の簡単な説明】
【００１１】
【図１】  本発明の第１の実施形態を示す縦断面図である。
【図２】  同じく横断面図である。
【図３】  第２の実施形態を示す縦断面図である。
【図４】  同じく横断面図である。
【図５】  第３の実施形態を示す縦断面図である。
【図６】  同じく横断面図である。
【発明を実施するための形態】
【００１２】  次に、本発明の第１の実施形態を図１、２に基づいて詳細に説明する。
１は掃除機の本体であり、該本体１は吸引口２ａを形成した集塵室２とルーバー形の排気口３ａを形成した濾過室３とからなり、集塵室２と濾過室３はフィルタ４により仕切られ分離可能としている。分離することにより集塵室２内に貯留した塵埃は廃棄される。
【００１３】  フィルタ４は剛性体５としてのフィルタ枠に接して被覆されるものであり、該フィルタ４の開口部上縁はシート状の第１弾性部材７として伸縮自在としている。フィルタ枠を剛性体５とすることにより、後記する打撃棒８による衝撃を効率よくフィルタ４に伝達することができる。
【００１４】  フィルタ枠としての剛性体５は濾過室３に設けられるもので、基端縁を濾過室３に取り付けたフィルタ４により吊り下げ支持される。また、剛性体５としてのフィルタ枠の中間枠には濾過室３から外方に張出される打撃棒８が立設されている。
【００１５】  剛性体５は打撃棒８に加えられた衝撃を被套したフィルタ４に伝達する。この衝撃の慣性力と振動力により網目に付着した塵埃は払い落とされる。
【００１６】  １０は濾過室３に設けられる吸引機構であり、該吸引機構１０は中心吸気口１１ａと側面排気口１１ｂとを形成した吸引室１１と、該吸引室１１内に配置される二段式の吸引ファン１２と、該吸引ファン１２を駆動するモータ１３とからなる。
【００１７】  １４は吸引室１１の角部に配置されるパッキンであり、該パッキン１４は気流のシールとモータ１３の振動を吸収するものである。１５は吸引口２ａの基端後方に下部を開放させた吸引気流の流れを変える案内板である、
【００１８】  １６は濾過室３を貫通して外部に張出される打撃棒８のシール部材であり、該シール部材１６はシートカバーとして打撃棒８の先端を被套して、打撃棒８と濾過室３の貫通孔間の細隙から負圧が漏れることを防止し、吸引力が低下しないようにしている。１７はフィルタ枠の支柱である。なお、シール部材１６はカバーでなく打撃棒８とその貫通孔間に設けられるシールリングとしてもよい。
【００１９】  １８は濾過室３の隔壁であり、該隔壁１８には吸引室１１へ気流を吸引する吸引口１８ａと、吸引気流を濾過室３内に排気する排気口１８ｂとが形成されている。
【００２０】  このように構成されたものは、フィルタ４に塵埃が付着して機能が低下した場合、ハンマ等で打撃棒８を打撃すれば、その衝撃は剛性体５からフィルタ４に伝わり、その衝撃による大きな慣性力によりフィルタ４表面に付着している塵埃を払い落とすこととなる。更に、フィルタ４に伝達された衝撃が第１弾性部材７に伝達されると第１弾性部材７は振動を繰り返しながら収束されていく。この振動によりフィルタ４の網目に付着した塵埃の固まりは細かく分解されて払い落とされていく。なお、塵埃の除去が不十分の場合、打撃を繰り返したり、打撃力を変えたりすることにより塵埃の除去を確実にする。
【００２１】  また、図３、４に示される第２の実施形態は、剛性体５としてのフィルタ枠をコイルスプリングのような第２弾性部材２０により支持させたものであり、フィルタ４の開口部上縁は蛇腹状として伸縮自在としている。弾性部材２０を偏心にした位置に配置することにより、ランダム方向の慣性力及び振動力が働きフィルタ４の網目に付着した塵埃をより効果的に払い落すことができる点が、第１の実施形態と相違する以外は同じ構成のため同一符号を付して説明を省略する。
【００２２】  図５、６に示される第３の実施形態は、打撃棒８をフィルタ枠としての剛性体５の底枠に取付けるとともに、フィルタ４の基端部を濾過室３に弾性部材を介することなく支持したものであり、打撃棒８を剛性体５としてのフィルタ枠の底枠に取付けることにより、底枠に密着しているフィルタ４に大きな衝撃力を直接的に加えることができるので、塵埃により大きな慣性力が働いてフィルタ４から一気に払い落される。
【００２３】  さらに、弾性部材を省くことにより、フィルタ４にはより大きな衝撃が直接的に加えられるので、この衝撃によりフィルタ４の網目は変形され、またフィルタ４の延びによりフィルタ４に付着した塵埃の結合は緩められるうえに、前記した直接的な衝撃力と相俟って塵埃にはより大きな慣性力が働いて塵埃は一気に払い落される点が、前記第１の実施形態と相違する以外は同じ構成のため同一符号を付して説明は省略する。
【符号の説明】
【００２２】１  本体
２  集塵室
２ａ  吸引口
３  濾過室
３ａ  ルーバー式の排気口
４  フィルタ
５  剛性体
７  第１弾性部材
８  打撃棒
１０  吸引機構
１１  吸引室
１１ａ  中心吸気口
１１ｂ  側面排気口
１２  吸引ファン
１３  モータ
１４  パッキン
１５  案内板
１６  シール部材
１７  支柱
１８  隔壁
１８ａ  吸引口
１８ｂ  排気口
２０  第２弾性部材
【図１】
2014151169.tif 000003
【図２】
2014151169.tif 000004
【図３】
2014151169.tif 000005
【図４】
2014151169.tif 000006
【図５】
2014151169.tif 000007
【図６】
2014151169.tif 000008